Podtech/llm-jp-corpus-v4-ja_patent huggingface dataset:
(57)【要約】【課題】  弁当等における食事が、より楽しく行われるようにすることを可能とするおかず入れ容器を提供する。【解決手段】  底部２とその周囲から立ち上がる周壁部３とからなるおかず入れ容器１において、周壁部３の該容器１におかずを入れた際に目視できる位置に、第１の表記７がなされた第１の表記部８が設けられ、底部２上面が第１の表記７に関連する内容の第２の表記１０がなされた第２の表記部９とされてなることを特徴とするおかず入れ容器。【選択図】図１
0003127141.tif 000002
【実用新案登録請求の範囲】
【請求項１】
底部とその周囲から立ち上がる周壁部とからなるおかず入れ容器において、
前記周壁部の該容器におかずを入れた際に目視できる位置に、第１の表記がなされた第１の表記部が設けられ、
前記底部上面が、前記第１の表記に関連する内容の第２の表記がなされた第２の表記部とされてなる、
ことを特徴とするおかず入れ容器。
【考案の詳細な説明】
【技術分野】
【０００１】  この考案は、弁当箱内等に使用するおかず入れ容器に関する。
【背景技術】
【０００２】  弁当を作る際には、おかずを仕切り状態に収納するようにアルミ箔や薄紙片よりなる使い捨てのおかず入れ容器が便利に用いられているが、現状のこの種のおかず入れ容器は単におかずの収納に使用されているだけである。
【考案の開示】
【考案が解決しようとする課題】
【０００３】  この考案では、弁当等における食事が、より楽しく行われるようにすることを可能とするおかず入れ容器を提供する。
【課題を解決するための手段】
【０００４】  この考案では、底部とその周囲から立ち上がる周壁部とからなるおかず入れ容器において、前記周壁部の該容器におかずを入れた際に目視できる位置に、第１の表記がなされた第１の表記部が設けられ、前記底部上面が、前記第１の表記に関連する内容の第２の表記がなされた第２の表記部とされてなることを特徴とするおかず入れ容器を提供する。【０００５】  上記構成のおかず入れ容器によれば、おかずを入れた状態では第１の表記部の第１の表記は見えるものの、底部上面の第２の表記部上の第２の表記はおかずに覆われて見えず、おかずをほぼ食べ終えることで第２の表記が露呈して見えるようになる。したがって、第１の表記を問題、第２の表記をその答え等として関連したものとすることで、第２の表記内容の確認を楽しみに食事を進めるようになる。第１の表記と第２の表記とは関連するものであれば適宜の内容であってよく、謎々やクイズ、勉強問題、時々問題等、このおかず入れ容器を用いる弁当等を食する者に対応する内容が適宜選択されればよい。【０００６】  第１の表記部、第２の表記部はともに周壁部、底部そのものに形成されてもよく、またそこに付設されるものに形成されてもよく、とくに、第１の表記部はおかずを入れた際に目視できる位置であれば適宜位置に、適宜形状に設けられればよい。
【考案の効果】
【０００７】  この考案によれば、弁当等における食事が楽しく行えるようになり、子供達においては食欲の増進効果も期待できる。
【考案を実施するための最良の形態】
【０００８】  図１はこの考案のおかず入れ容器の実施形態の外観斜視図である。【０００９】  おかず入れ容器１は薄い半透明の紙片よりなり、楕円形の底部２とその周囲から連続して立ち上がる周壁部３とから構成され、周壁部３にはそれをロート状に開き状態とする折り込み部４が設けられており、その基本構成は従来のおかず入れ容器と同様で、図２に示すように、弁当箱２０のおかず入れスペース２１の一部に従来のものと同様に配置されて用いられる。【００１０】  上記周壁部３の前後中央の相対する部分は折り込み部４が設けられないことで平坦部６とされ、後部の平坦部６からは上方に連続して第１の表記部７が延設され、その表面に第１の表記としての「謎々言葉」８が付されている。これに対し底部２の上面が第２の表記部９され、そこに第２の表記としての上記「謎々言葉」８に対する「答え」１０が付されている。【００１１】  図３は上記おかず入れ容器１に煮豆等のおかず１５を入れた状態を示し、第１の表記部７の「謎々言葉」８は見えるものの、底部２上面の第２の表記部９上の「答え」１０はおかず１５に覆われ見えない。すなわち、おかず入れ容器１のおかず１５をほぼ食べ終えることで「答え」１０が露呈し確認できる。したがって、その「答え」１０の確認を楽しみに食事を進めることとなり、また、それに関連して周囲の者との会話もはずみ、その結果、このおかず入れ容器１を用いることで、子供達において楽しく食事が行われるようになり、また、食欲も増進される。【００１２】  図４はおかず入れ容器１の他の実施形態を示し、このものでは周壁部３の上部に沿って第１の表記部７をの巾広く形成している。図５はおかず入れ容器１のさらに他の実施形態を示し、このものでは底部２と周壁部３とのアルミ箔よりなる一体品５０上に、第１と第２との表記部７、９を一体とする紙片５２を敷設しておかず入れ容器１を構成しており、このような構成によりおかず入れ容器１の強度を高めている。
【図面の簡単な説明】
【図１】  この考案のおかず入れ容器の実施形態の外観斜視図
【図２】  この考案のおかず入れ容器の実施形態の使用配置状態の斜視図
【図３】  この考案のおかず入れ容器の実施形態の使用状態の外観斜視図
【図４】  この考案のおかず入れ容器の他の実施形態の外観斜視図
【図５】  この考案のおかず入れ容器のさらに他の実施形態の外観斜視図
【符号の説明】
１    おかず入れ容器
２    底部
３    周壁部
７    第１の表記部
８    「謎々言葉」（第１の表記）
９    第２の表記部
１０  「答え」（第２の表記）
１５  おかず
【図１】
0003127141.tif 000003
【図２】
0003127141.tif 000004
【図３】
0003127141.tif 000005
【図４】
0003127141.tif 000006
【図５】
0003127141.tif 000007
(57)【要約】【課題】  本考案はスリッパを突っかける方式であるが、本考案のスリッパを履くだけでつま先立ち歩きが出来るので背筋を伸ばした正しい姿勢になりさらに血行も良くなるようなスリッパを提供しようとするものである。【解決手段】  本考案はスリッパの底辺をつま先部分は一番低く土踏まず部分は、30度から33度位の傾斜で高く踵部分は低くしたので踵がスリッパに着かず踵部分が浮く。踵が浮くと人は身体のバランスを取ろうとして自然に背筋を伸ばして歩くことが出来る。本考案のスリッパを使用すると必然的につま先立ち歩きになってしまう。つま先立ち歩きは短時間でも足からの血流が良くなり身体全体の血行も良くなるので健康に役に立つと言われている。【選択図】図1
0003127149.tif 000002
【実用新案登録請求の範囲】
【請求項１】
足に接する面に高低を設けたスリッパにおいて、つま先部分は一番低く土踏まずにあたる中央は高く踵部分はつま先より高いが土踏まずにあたる中央より低くしたスリッパ。
【考案の詳細な説明】
【技術分野】
【０００１】
現在は、車社会により日々の運動が少なくなっている。なので健康や美容については特に関心を持っていて、それらに関するクラブや教室には沢山の生徒が通っている。しかしそのような時間が持てない人達には、ダイエットスリッパや突起のあるスリッパとかが、考案されている。本考案は履物のつま先から土踏まずの部分まで高くして、踵部分は低くしてありつま先から土踏まずまでで歩けるように考案したものでつま先立ち歩きが自然に出来るものである。
【背景技術】
【０００２】
市販されている履物で踵のない物がありますが、それには高さがそれほどないので、そのような履物では踵は着かないが比較的楽に歩けてしまう。足に負荷をかけ足の血行を良くする為には、効果が少ないのではないかと思われる。本考案は、長時間使用するのではなく短時間でも効果が大きいのではないかと思われる。
【考案の開示】
【考案が解決しようとする課題】
【０００３】
本考案は、歩くだけで血行が良くなり健康に役に立つ履物として考案されたものである。足の第一関節までは平らに、土踏まずまで高くなっていて踵部分は、低くなっているのでつま先立ち歩きが出来るようになっている。つま先立ち歩きをすると、足のふくらはぎの筋肉が収縮と弛緩を繰り返し足の先から血液がスムースに流れるようになり身体全体の血流が良くなる。血流が良くなれば成人病の予防に役立つと思われる。
【課題を解決するための手段】
【０００４】
本考案は、履物のつま先から土踏まずの部分まで高くして足のつま先から土踏まずまでで歩けるように考案したものである。踵部分は低く下げてあるので自然につま先立ち歩きが出来るようにしたものである。
【考案の効果】
【０００５】
本考案の目的はつま先立ちで歩くことが出来るようにすることにある。つま先立ち歩きをすると足のふくらはぎの筋肉が収縮としかんをくりかえし血液の流れが良くなり現代人がかかりやすいといわれている成人病の予防に役に立つものとおもわれる。
【考案を実施するための最良の形態】
【０００６】
履物の底になる部分を横から見ると山の形をしたものでつま先が低く中央が高く踵部分はつま先よりは高いが中央より低くしたもの.踵部分を中央と同じ高さにすると踵がスッリパに着いてしまうのでつま先立ち歩きの効果が少なくなってしまう。なので踵部分を中央より低くし足が疲れた時は踵を下ろしても安定する高さにしたもので、つま先よりは高い。材質はあまり硬すぎず柔らかすぎないものが良いと思われる。
【実施例】
【０００７】
以下添付図面に従って実施例を説明する。１はスリッパ本体の側面2は土踏まず部分の高さで4.5センチから5センチ位にする3は踵部分の高さで2センチ位にする4は足の接着面からの角度で30度から33度位5は親指の第一間接でスリッパの底辺で水平にする6はスリッパ上部。７は山の部分の巾。１００は足の指。２００は脹脛
【図面の簡単な説明】
【０００８】
【図１】本考案のスリッパを側面から見た図である。
【符号の説明】
【０００９】
1  スリッパ本体
2  土踏まず部分の高さ
3  踵部分の高さ
4  足の接着面からの角度
5  親指の第一関節
6  スリッパ上部
７  山の部分の巾
１００  足の指
２００  脹脛
【図１】
0003127149.tif 000003
(57)【要約】【課題】  履物の形状や大きさに関係なく取付できると共に、床面等に接触することなく、静電気を放電することのできる静電気放電履物を提供する。【解決手段】  中敷材に、適宜な長さの導電線を設けてなる足裏接触部を設けると共に、甲材に、適宜な長さの導電線を設けてなる放電部を設けてなることを特徴とする静電気放電履物。【選択図】図１
0003127143.tif 000002
【実用新案登録請求の範囲】
【請求項１】
中敷材に、適宜な長さの導電線を設けてなる足裏接触部を設けると共に、甲材に、適宜な長さの導電線を設けてなる放電部を設けてなることを特徴とする静電気放電履物。
【請求項２】
放電部が、地面に非接触であることを特徴とする請求項１記載の静電気放電履物。
【請求項３】
導電線と導電線を連結してなることを特徴とする請求項１又は２記載の静電気放電履物。
【考案の詳細な説明】
【技術分野】
【０００１】  本考案は、主に中敷材と甲材より構成する履物に体の静電気を放出する部材を設けてなることを特徴とする静電気放電履物に関するものである。
【背景技術】
【０００２】  従来の技術として、導電性材料より成り、足裏接触部と他面接触部とが軸部によって連結してなる静電気放電靴取り付け用放電性ビスがある。（特許文献１参照）【０００３】  また、他の従来技術として、靴底に取り付けられるヒール本体と、ヒール本体の下に取り付けられるリフトを備えた靴のヒールにおいて、ヒール本体内の下部に螺子があり、リフトに螺子があり、両螺子の螺合によりヒール本体にリフトを脱着自在とし、ヒール本体とリフトに互いに係止してリフトの位置決めと回転を防止する係止機構を備えたことを特徴とする靴のヒールがある。（特許文献２参照）
【特許文献１】  実用新案登録第２５４５６９７号
【特許文献２】  特開２００５−２３７６１５号公報
【考案の開示】
【考案が解決しようとする課題】
【０００４】  上記前者においては、他面接触部が床面や土面に接触し、放電させているため、特に床面上を歩行したとき、床面に傷を付けたり、引っ掛かったりする場合があり、問題がある。【０００５】  上記後者においては、金属製の縦軸によりアース（放電）させる構造であるため、ヒールの長さに合わせて縦軸の長さを決めなければならず、ヒール（サイズ）ごとに縦軸を用意する必要があり、実用上手間が掛るものである。【０００６】  本考案は、上記の従来の構成が有していた問題を解決しようとするもので、履物の形状や大きさに関係なく取付できると共に、床面等に接触することなく、静電気を放電することのできる静電気放電履物を提供することを目的とする。
【課題を解決するための手段】
【０００７】  本考案は、上記目的を達成するための手段として、中敷材に、適宜な長さの導電線を設けてなる足裏接触部を設けると共に、甲材に、適宜な長さの導電線を設けてなる放電部を設けてなる。
また、放電部が、地面に非接触である。
そして、導電線と導電線を連結してなることを特徴とする。
【考案の効果】
【０００８】１）、適宜な長さの導電線を設けてなる足裏接触部と、同様な放電部との構成により、履物の形状や大きさに関係なく取り付けることができる。
２）、床面等と非接触の状態で帯電した静電気を放出することができる。
３）、導電線と導電線を連結するのみで取付でき、特に技術を必要とすることなく、取り付けることができる。
４）、足裏接触部と放電部を同軸心上に形設するのみならず、必要に応じて異なる位置に設けることができる。
【考案の実施するための最良の形態】
【０００９】  静電気放電履物１は、中敷材２に、適宜な長さの導電線３ｂ１を設けてなるカシメ足３ｂにカシメ頭３ａを孔２ａを介してカシメてなる足裏接触部３を設けると共に、内部に中空部４ａ…を形成してなる甲材４に、上記と同様な適宜な長さの導電線５ｂ１を設けてなるカシメ足５ｂに、カシメ頭５ａを孔４ｂをカシメてなる放電部５を設けてなるものである。
【００１０】  上記静電気放電履物１は、足裏接触部３の導電線３ｂ１と、放電部５の導電線５ｂ１とを連結（結束）した後、中敷材２と甲材４とを接着剤等で固着して仕上げるものである。
【００１１】  本考案の静電気放電履物１の使用例として、中敷材２へ足ＡＳを挿入し、歩くことにより、帯電した静電気ＳＤをカシメ頭３ａを通ってカシメ頭５ａより放電ＨＤさせることができるものである。
【００１２】  上記静電気放電履物において、履物の形状（形態）や大きさ・材質等は特に限定するものではない。
また、足裏接触部及び放電部の材質は、導電性や放電性を有するものであればよい。
【図面の簡単な説明】
【００１３】
【図１】  本考案の一実施例の静電気放電履物の中敷材の一部破断正面図。
【図２】  本考案の一実施例の静電気放電履物の甲材の一部縦断正面図。
【図３】  本考案の一実施例の静電気放電履物の導電線連結状態図。
【図４】  本考案の一実施例の静電気放電履物の使用状態図。
【符号の説明】
【００１４】  １−−−静電気放電履物
２−−−中敷材
２ａ−−孔
３−−−足裏接触部
３ａ−−カシメ頭
３ｂ−−カシメ足
３ｂ１−導電線
４−−−甲材
４ａ−−中空部
４ｂ−−孔
５−−−導電部
５ａ−−カシメ頭
５ｂ−−カシメ足
５ｂ１−導電線
ＡＳ−−足
ＳＤ−−静電気
ＨＤ−−放電
【図１】
0003127143.tif 000003
【図２】
0003127143.tif 000004
【図３】
0003127143.tif 000005
【図４】
0003127143.tif 000006
(57)【要約】【課題】金網フィルター成形品の検査、梱包等の手扱いや運送途中の振動で生じる切断端部の短線の製品からの脱落を防止する。【解決手段】椀形に成形した金網の外縁を内又は外に折り曲げてその外縁の両面が相互に密着していれば短線は両面で堅持され脱落しない。【選択図】図１
0003127116.tif 000002
【実用新案登録請求の範囲】
【請求項１】
椀形に成形した金網製品の外縁を内又は外に折り曲げて、その外縁の両面が相互に密着している事を特徴とする縁曲げ金網成形品。
【考案の詳細な説明】
【技術分野】
【０００１】  本考案は、アルミ鋳造に於いて異物除去用として用いる金網フィルター成形品の短線脱落防止形状に関するものである。
【背景技術】
【０００２】  金網フィルター成形はプレス加工にて行うが、切断端部は切り離したそのままで完成品とし、製造者から使用者に届けられるのが一般的である。
【考案の開示】
【考案が解決しようとする課題】
【０００３】  しかしながら検査、梱包等の手扱いや運送途中の振動で切断端部の短線が製品から脱落する。
この脱落した短線が金網成形品に引っ掛かったままの状態でアルミ鋳造用フィルターとして使用されると脱落した短線が鋳造品に混入する恐れがあった。
【課題を解決するための手段】
【０００４】  本考案の解決しようとする課題は以上の如くであり、次にこの課題を解決するための手段を説明する。
すなわち、椀形に成形した金網の外縁を内又は外に折り曲げてその外縁の両面を相互に密着させ解決した。
【考案の効果】
【０００５】  上述の様に、本考案の椀形に成形した金網の外縁を内又は外に折り曲げてその外縁の両面が相互に密着していれば製品の検査、梱包等の手扱いや、運送途中に振動があっても短線が製品から脱落する事がなく、アルミ鋳造用フィルターとして使用しても短線が鋳造品に混入することはない。
【考案を実施するための最良の形態】
【０００６】  金網成形品の外縁を内又は外に折り曲げるためには、曲げに必要な網目の１目分を見込んで切断し、この１日分を折り曲げて両面を相互に密着する。
【実施例】
【０００７】  以下添付図面に従って一実施例を説明する。
図１は、本考案の縁曲げ金網成形品の側面図で、１金網成形品本体の、２外縁より、網目の１目分を見込んだ縁曲げ代を外に折り曲げて、３縁曲げ部を形成して両面を相互に密着する。【０００８】  本考案の上記実施例は縁曲げ代を外に折り曲げたが、内に折り曲げても効果は同じである。
【図面の簡単な説明】
【０００９】
【図１】本考案の縁曲げ金網成形品の一実施例を示す側面図である。
【符号の説明】
【００１０】  １  金網成形品本体
２  外縁
３  縁曲げ部
【図１】
0003127116.tif 000003
(57)【要約】【課題】  構造が簡単でしかも安全性が高く、製造コストの安価な足裏マッサージ器具を提供することを課題とする。【解決手段】  本考案は、底面が平坦で一定の長さ及び厚さを有し上面が凸となるよう湾曲した棒状硬質部材の湾曲表面に、複数の規則的な凹凸を設けたことを特徴とする。前記複数の規則的な凹凸としては、互いに交差する複数の溝を設けることにより複数の独立突起部を形成することが好適である。【選択図】図１
0003127114.tif 000002
【実用新案登録請求の範囲】
【請求項１】
底面が平坦で一定の長さ及び厚さを有し上面が凸となるよう湾曲した棒状硬質部材の湾曲表面に、複数の規則的な凹凸を設けたことを特徴とする足裏マッサージ器具。
【請求項２】
底面が平坦で一定の長さ及び厚さを有し上面が凸となるよう湾曲した棒状硬質部材の湾曲表面に、互いに交差する複数の溝を設けることにより複数の独立突起部を形成したことを特徴とする足裏マッサージ器具。
【請求項３】
底面が平坦で一定の長さ及び厚さを有し上面が凸となるよう湾曲した棒状硬質部材の湾曲表面に、互いに交差する複数の溝を設けることにより頂部に平坦部を有する複数の独立突起部を形成したことを特徴とする足裏マッサージ器具。
【請求項４】
底面が平坦で一定の長さ及び厚さを有し上面が凸となるよう湾曲した棒状木材の湾曲表面に、互いに交差する複数の溝を設けることにより頂部に平坦部を有する複数の独立突起部を形成したことを特徴とする足裏マッサージ器具。
【請求項５】
底面が平坦で一定の長さ及び厚さを有し上面が凸となるよう湾曲した棒状ひのき材の湾曲表面に、互いに交差する複数の溝を設けることにより頂部に平坦部を有する複数の独立突起部を形成したことを特徴とする足裏マッサージ器具。
【考案の詳細な説明】
【技術分野】
【０００１】  本考案は、足の裏全体を効果的にマッサージすることのできる足裏マッサージ器具に関する。
【背景技術】
【０００２】  足の裏をマッサージする器具としては、従来から「青竹踏み」が知られている。これは太い竹を二つ割りにして床に置き、踏みつけるものであり、竹の湾曲が足の裏を刺激してマッサージ効果を与えるものである。【０００３】  また、特許文献１や特許文献２に開示されているようなローラーを使用したマッサージ器具もある。これらは、ローラーを使用することにより土踏まずを効果的にマッサージできるように考案されてものであるが、ローラーが回転するために、お年寄りや子供が使用する場合は滑って転倒する危険性があった。また、ローラーを回転させるために構造が複雑となり、コストの上昇を招いたり、故障の可能性も高かった。【０００４】
【特許文献１】登録実用新案第３００００６６号公報
【特許文献２】特開２０００−８４０３４号公報
【考案の開示】
【考案が解決しようとする課題】
【０００５】  本考案は、上述のような従来の問題点に鑑みて、構造が簡単でしかも安全性が高く、製造コストの安価な足裏マッサージ器具を提供することを課題とする。
【課題を解決するための手段】
【０００６】  上記課題を解決するため本考案は、底面が平坦で一定の長さ及び厚さを有し上面が凸となるよう湾曲した棒状硬質部材の湾曲表面に、複数の規則的な凹凸を設けたことを特徴とする。【０００７】  前記複数の規則的な凹凸としては、互いに交差する複数の溝を設けることにより複数の独立突起部を形成することが好適である。溝の方向は、硬質部材の長さ方向に対して平行及び垂直方向でもよいし、また長さ方向に対して傾斜させてもかまわない。ただし、加工の容易性を考慮すると、直線状溝が好適である。【０００８】  前記溝は、硬質部材の表面からＶ字型の溝を形成することにより、各突起部の頂部には平坦部を残すようにすることが望ましい。【０００９】  前記硬質部材としては、木材、プラスチック、金属など種々の材質が利用できるが、加工の容易性、質感、親近感などを考慮すると、木材が特に好ましい。中でもひのきは香りが良いので好適である。
【考案の効果】
【００１０】  本考案による足裏マッサージ器具では、可動部がないためお年寄りや子供でも安心して安全に使用することができ、また複数の独立突起部を形成してあるため、青竹などより優れたマッサージ効果を得ることができる。
【考案を実施するための最良の形態】
【実施例】
【００１１】  以下、図面に基づいて本考案の実施例を説明する。図１に本考案による足裏マッサージ器具の第１の実施例を示した。（ａ）が側面図、（ｂ）が正面図である。本実施例においては基材としてひのき材を使用し、断面半円形に加工した後、両端部を残して湾曲表面に直交する複数のＶ字状溝２を形成した。これにより、ひのき材の湾曲表面には多数の独立した突起部１が形成され、それぞれの突起部は頂部３が平坦に構成されている。突起部があまり大きいとマッサージ効果が少なくなり、またあまり小さくても少なくなるため、溝の間隔は１ｃｍから２ｃｍ程度が好適である。また、マッサージ器具の幅としては、一般の人の足の長さを考慮すると、１０〜３０ｃｍ程度が好ましい。【００１２】  図２には、本考案による足裏マッサージ器具の第２の実施例を示した。この図は断面図である。上述の第１の実施例においては断面半円形のひのき材を用いたが、この実施例ではひのき材の上面側のみに湾曲部を形成した。
【産業上の利用可能性】
【００１３】  本考案の足裏マッサージ器具によれば、構造が簡単でありながら優れたマッサージ効果を有し、しかも安全性にも優れた足裏マッサージ器具を提供することができ、またその器具を安価に提供することができる。
【図面の簡単な説明】
【００１４】
【図１】本考案の第１の実施例を示す側面図及び正面図である。
【図２】本考案の第２の実施例を示す側面断面図である。
【符号の説明】
【００１５】１    突起部
２    溝
３    平坦部
【図１】
0003127114.tif 000003
【図２】
0003127114.tif 000004
(57)【要約】【課題】据え置き及び壁掛けの両方に使用することができ、構造および取扱いが簡単で、安価に提供することができるフラットディスプレイの支持装置を提供する。【解決手段】ほぼ直交するＬ形に折り曲げられるヒンジ取付部と、該ヒンジ取付部から延設される少なくとも２つの脚部から成るブラケットと；上記ヒンジ取付部に取付け固定されると共に、ディスプレイ取付部を介してフラットディスプレイに連結されるヒンジから構成される。【選択図】図１
0003127184.tif 000002
【実用新案登録請求の範囲】
【請求項１】
ほぼ直交するＬ形に折り曲げられるヒンジ取付部と、該ヒンジ取付部から延設される少なくとも２つの脚部から成るブラケットと；上記ヒンジ取付部に取付け固定されると共に、ディスプレイ取付部を介してフラットディスプレイに連結されるヒンジから構成される、ことを特徴とするフラットディスプレイの支持装置。
【請求項２】
上記ヒンジが、電動モーターにより駆動されて、フラットディスプレイを左右に回動させたり、上下に昇降させたり、あるいは前後に傾動させるように、構成されることを特徴とする請求項１に記載のフラットディスプレイの支持装置。
【請求項３】
上記ヒンジが、リモートコントロールにより遠隔操作されることを特徴とする請求項２に記載のフラットディスプレイの支持装置。
【請求項４】
上記脚部に取付用穴を穿設することを特徴とする請求項１、２または３に記載のフラットディスプレイの支持装置。
【考案の詳細な説明】
【技術分野】
【０００１】
本考案は、テレビ等のフラットディスプレイを床面上やデスク上に据え置いたり、あるいは、壁面に掛けることができる支持装置に関するものである。
【背景技術】
【０００２】
従来のこの種のフラットディスプレイの支持装置としては、薄型のテレビ本体の背面に、テレビ本体の立設支持と係止支持の両機能を有する支持具（特許文献１参照）があった。
【０００３】
しかし、上記従来の支持具は、構造が複雑で取り付け作業に手間取るだけでなく、フラットディスプレイを任意の姿勢に制御することが出来ないなどの問題があった。
【特許文献１】特開２００６−２０９０４３号公報
【考案の開示】
【考案が解決しようとする課題】
【０００４】
解決しようとする課題は、上記従来の問題点を解決し、据え置き及び壁掛けの両方に使用することができ、構造および取扱いが簡単で、安価なフラットディスプレイの支持装置を提供することにある。
【課題を解決するための手段】
【０００５】
本考案のフラットディスプレイの支持装置は、ほぼ直交するＬ形に折り曲げられるヒンジ取付部と、該ヒンジ取付部から延設される少なくとも２つの脚部から成るブラケットと；上記ヒンジ取付部に取付け固定されると共に、ディスプレイ取付部を介してフラットディスプレイに連結されるヒンジから構成される、ことを特徴とする。また、上記ヒンジが、電動モーターにより駆動されて、フラットディスプレイを左右に回動させたり、上下に昇降させたり、あるいは前後に傾動させるように、構成されることを特徴とする。さらに、上記ヒンジが、リモートコントロールにより遠隔操作されることを特徴とする。また更に、上記脚部に取付用穴を穿設することを特徴とする。
【考案の効果】
【０００６】
本考案のフラットディスプレイの支持装置は、据え置き及び壁掛けの両方に使用することができ、構造および取扱いが簡単で、安価に提供することができる利点がある。
【考案を実施するための最良の形態】
【０００７】
図１は、本考案のフラットディスプレイの支持装置を据え置き状態で使用する場合の実施例を示すもので、１はブラケット、２はヒンジである。また、Ｄはフラットディスプレイである。
【０００８】
上記ブラケット１は、ヒンジ取付部１ａと、２つの脚部１ｂ、１ｂから構成されている。
【０００９】
上記ヒンジ取付部１ａは、ほぼ直交するＬ形に折り曲げられていて、その第一面１ａ′または第二面１ａ″のいずれかの面に、上記ヒンジ２が取り付け固定されるようになっている。本実施例のように据え置き型に使用する場合には、上記第一面１ａ′に、ヒンジ２が固定されている。
【００１０】
上記脚部１ｂは、上記ヒンジ取付部１ａの第一面１ａ′から２つ延設されている。２つの脚部１ｂ、１ｂは、相互に所定見込角（例えば、９０〜１２０度）の角度をもって形成されている。なお、上記脚部１ｂの形状、長さや本数は、本実施例に限定するものではなく、フラットディスプレイＤがあらゆる姿勢（左右に回動、上下に昇降、前後に傾動）であっても、安定的に据え置くことができるようになっていれば良い。
【００１１】
上記ヒンジ２は、ディスプレイ取付部２ａを介して、フラットディスプレイＤの背面あるいは下面に連結される。ヒンジ２の構成・作用としては、例えば本出願人による特許出願（特願２００６−０９４４１７、特願２００６−１６７１３８、特願２００６−１６７１８６、特願２００６−２１６４５３及び特願２００６−２１６４５４）の発明のように、電動モーターにより駆動され、フラットディスプレイＤを左右に回動、上下に昇降、前後に傾動するタイプが好ましいが、これらに限定するものではなく、手動で動かしたり、或いは、いづれかの動きに限定されていたり、してもよい。電動で動かす場合には、リモコン等で遠隔操作できるようにしてもよい。
【００１２】
図２は、本考案のフラットディスプレイの支持装置を壁掛け状態で使用する場合の実施例を示すもので、上記ヒンジ２は、ブラケット１のヒンジ取付部１ａの第二面１ａ″に取り付け固定されている。
【００１３】
上記脚部１ｂの先端部には取付用穴１ｃが穿設されていて、取付用ネジ（図示せず）により、上記ブラケット１を壁面に取り付け固定するようになっている。本実施例では、ブラケット１を壁面にネジ止めするようになっているが、本発明はこれに限定するものではなく、壁面に適当な掛止具（図示せず）を取り付けて、該掛止具に上記ブラケット１を掛け止めるようにしたり、他の取り付け手段を採用してもよい。
【００１４】
図２の壁掛けの場合には、特に、フラットディスプレイＤの左右回動運動や前後傾動運動が十分に出来るように、許容の範囲内で、ヒンジ２を壁面から離すように構成するのが好ましい。
【図面の簡単な説明】
【００１５】
【図１】本考案のフラットディスプレイの支持装置を据え置き状態で使用する場合の実施例を示す説明図である。
【図２】本考案のフラットディスプレイの支持装置を壁掛け状態で使用する場合の実施例を示す説明図である。
【符号の説明】
【００１６】
１    ブラケット
１ａ  ヒンジ取付部
１ａ′第一面
１ａ″第二面
１ｂ  脚部
１ｃ  取付用穴
２    ヒンジ
２ａ  ディスプレイ取付部
Ｄ    フラットディスプレイ
【図１】
0003127184.tif 000003
【図２】
0003127184.tif 000004
(57)【要約】【課題】本考案は大小兼用水洗便器に於いて、男子が立ち小便終了間際、陰茎を振ることで便器外に飛び散るしずくを防ぐことと同時に亀頭先端の肌に付着したしずくを拭い取るための残尿処理用のトイレットペーパーである。【解決手段】本考案は、小便終了間際に陰茎を振るとき、男子陰茎を包む幅と、包んだ時、僅かに亀頭先端より空洞ができる長さであり、重ねる部分と先端部分には、すぐには開かないようにマジックテープが施されており、使用時には袋又は紙コップ状の筒のような形状にして用いる、あるいは形状そのものが予め紙コップ状又は袋状にトイレットペーパーと同等の紙質で作製してあり小便終了間際、陰茎を包み、あるいは入れたまま振ることによって空洞部分のペーパーに残尿を吸収させトイレに流してしまうものであり、トイレ内の美化と清潔に役立つ。【選択図】図３
0003127188.tif 000002
【実用新案登録請求の範囲】
【請求項１】
男子小便終了間際、陰茎を振ることでしずくが飛散しないように振る直前陰茎を包み、包んだ状態で振ることによりしずくが亀頭先端の空洞部分のペーパーに吸収され、水洗で流せ、使用時形状を袋状にして使用する残尿取りトイレットペーパー。
【請求項２】
男子小便終了間際、陰茎を振ることでしずくが飛散しないように振る直前、陰茎を中に入れ、入れた状態で振ることによりしずくが亀頭先端の空洞部分のペーパーに吸収され、水洗で流せるように、予め紙コップのような形状をした、残尿取りトイレットペーパー。
【請求項３】
男子小便終了間際、陰茎を振ることでしずくが飛散しないように振る直前、陰茎を中に入れ、入れた状態で振ることによりしずくが亀頭先端の空洞部分のペーパーに吸収され、水洗で流せ、使用時には、陰茎を入れられるように指で拡げるか、息を吹きかけることで脹らませるように予め袋状の形状にした、残尿取りトイレットペーパー。
【考案の詳細な説明】
【技術分野】
【０００１】
本考案は男子小便時に使用する残尿取りトイレットペーパーである。
【背景技術】
【０００２】
大小兼用の水洗便器に於いて、立ち小便終了時に陰茎を振ったとき、しずくが飛散し便器の外や便器の回り又は衣服あるいは手等を汚す事が多い、さらに男子は小便後、拭くと言う習慣が無く陰茎を元に戻した場合下着が残尿で濡れ不愉快な思いをする場合がある。
【考案の開示】
【考案が解決しようとする課題】
【０００３】
しかしながら、以上の考案によれば便器、衣服、手等を汚す事無く又亀頭に付着している小便のしずくも綺麗に拭い取る事ができ、そこで前述の欠点を解決しようとするものである。
【課題を解決するための手段】
【０００４】
本考案は男子が大小兼用の水洗便器で立ち小便時、勢いよく小便をした終了間際、そっと下から陰茎を包み、あるいは紙コップ状又は袋状になった本考案の男子小便用残尿取りトイレットペーパーの中に陰茎を入れ、その状態のまま振った場合飛散する筈のしずくが空洞部分のペーパーの中に吸収され、使用後は従来どおり水と一緒に流してしまい問題を解決している。
【考案の効果】
【０００５】
上記のように本考案による男子小便用残尿取りトイレットペーパーを使用することによりトイレの中が綺麗に又手、亀頭、衣服等に付着することなく清潔にも役立つ。
【考案を実施するための最良の形態】
【０００６】
現在市販のトイレットペーパーあるいはティシュペーパーで陰茎又は亀頭を包んだ場合紙が薄すぎ濡れた部分の紙が皮膚に付着し、役にたたない、従って紙質はトイレットペーパーと同等の粗荒な吸水性の良いものとし、厚みはトイレットペーパー5,6枚重ねた程度で筒状又は袋状にした場合垂れる事無く、10滴程度の水滴を吸収するもの。又大きさは陰茎をノリ巻きのように包んだ時、幅は周囲を巻くより少し大きめの１４〜１５センチメートルとし、長さは全長の半分程度に陰茎が納まり半分は空洞となる１２〜１３センチメートルが最適である、又紙コップ状あるいは袋状にした場合も同様で亀頭先端から陰茎を入れた場合、亀頭先端に３〜４センチ空洞が出来る大きさが最適である。
【実施例】
【０００７】
以下、添付図面に従って実施例を説明する。図１は男子小便用残尿トイレットペーパーそのものであるが通常のトイレットペーパーより厚みが厚いのと陰茎を巻いて重ねる部分と先端には指で軽く押さえることによりマジックテープ（登録商標）で開かないように工夫がなされている、図２は勢い良く小便をした終了間際男子小便用残尿トイレットペーパーで下から陰茎を巻くように包み先端を押さえ、上で重ねるように持ち、いつものように振ると本来飛び散る筈のしずくが小便用残尿トイレットペーパーの外半分の空洞部分に付着し吸収する、又捨てる場合は筒状の小便用残尿トイレットペーパーを外へ抜く事によって、亀頭先端の肌に付着したしずくも拭き取ることが出来る、トイレットペーパーその物の紙質で作製されている為便器に詰まることなく流される、図３は形状を予め紙コップを細長くしたようにトイレットペーパーで作られているもので、図４は使用時の図である、図５は形状を袋状に作製したものであり袋の入り口側の寸法が違うのは長い方をつまみフゥーと息を吹きかけることにより片手で簡単に膨らませるための工夫が成されている、図６は使用時袋状に膨らませて使用している図面である。いずれも勢い良く放出した小便終了間際装着していつもの癖のように陰茎を振り飛散するしずくを空洞部分のペーパーに吸収させ拭い去るものである。
【０００８】
この場合大便用のトイレットペーパーを取るためにかがむとか、棚のペーパーを取るために前に動くとかすると、しずくが落ちる可能性があり、立って動かず右か左に手を伸ばすだけで容易に取り出せる工夫も必要である。
【０００９】
従ってテッシュペーパーの箱のように紙で大きさに合わせた箱を作りその中に入れて販売し購入後箱の一部をミシン目に合わせて切り取り、小便時、瞬時に一枚一枚取り出して使用できるように箱ごと壁掛け、あるいは壁に箱を両面テープで張り付け又は身近な処に置けるような工夫も必要である。
【図面の簡単な説明】
【００１０】
【図１】請求項１の実施形態の斜視図である。
【図２】請求項１の使用説明を表す斜視図である。
【図３】請求項２の実施形態の斜視図である。
【図４】請求項２の使用説明を表す斜視図である。
【図５】請求項３の実施形態の斜視図である。
【図６】請求項３の使用説明を表す斜視図である。
【符号の説明】
【００１１】
１考案の男子小便用残尿取りトイレットペーパー本体
２マジックテープ（登録商標）
３陰茎
４糊付け
【図１】
0003127188.tif 000003
【図２】
0003127188.tif 000004
【図３】
0003127188.tif 000005
【図４】
0003127188.tif 000006
【図５】
0003127188.tif 000007
【図６】
0003127188.tif 000008
(57)【要約】【課題】試験片の形状を簡単にし、試験片の設置も容易で、正確に剥離力を測定できる剥離試験保持具を提供することを目的とする。【解決手段】剛板１１とゴム部材１２の積層物である試験片１０をその両端部で設置する一対の相対向した支持板２，２’、左右側板３，３’、そして上板４を組合わせた立体構造体の剥離試験保持具１である。この保持具１は、前記上板４に一方のチャック部の挟持部である板状のつかみ面５を突設し、前記一対の支持板２，２’にはレール６，６’上を摺動するボールスライド７，７’を設置し、前記支持板２，２’の間から抜き出したゴム部材１２を他方のチャック部の挟持部としている。【選択図】      図１
0003127168.tif 000002
【実用新案登録請求の範囲】
【請求項１】
剛板とゴム部材の積層物である試験片をその両端部で設置する一対の相対向した支持板、左右側板、そして上板を組合わせた立体構造体であり、前記上板には一方のチャック部である板状のつかみ面を突設し、前記一対の支持板にはレール上を摺動するボールスライドを設置し、前記支持板の間から抜き出したゴム部材を他方のチャック部にしたことを特徴とする剥離試験保持具。
【考案の詳細な説明】
【技術分野】
【０００１】
本考案は、ＪＩＳＫ６２５６に準じた剛板とゴムの積層物を試験部材として、この剛板とゴムの相互間の９０度剥離試験を行なう際に使用するつかみ具、即ち剥離試験保持具に関する。
【背景技術】
【０００２】
ＪＩＳＫ６２５６には、加硫ゴムおよび熱可塑性ゴムの接着試験方法に関するものであるが、この９０度剥離試験で使用する保持具は「試験機は試験冶具を取付けることができ、試験片を破損せずに滑らずに確実に保持できるつまみ具を備えていなければならない。」とされている。
【０００３】
上記剥離試験装置として、試験片の剥離始端部を挟持する一方のチャックと、試験片の残部をほぼ全面的に挟持する他方のチャックを具え、試験片への剥離外力の作用方向を、試験片の残部とほぼ直角をなす方向とするものが、特許文献１に記載されている。
【特許文献１】特開２０００−４６７２６号公報
【考案の開示】
【考案が解決しようとする課題】
【０００４】
しかし、従来の試験片では上側ゴム層と下側ゴム層の積層物であり、しかも下側ゴム層には側方突起部分を設け、側方突起部分をクランプ手段によって固定しなければ、剥離試験が出来なかった。
【０００５】
本考案はこのような問題を改善するものであり、試験片の形状を簡単にし、試験片の設置も容易で、正確に剥離力を測定できる剥離試験保持具を提供することを目的とする。
【０００６】
即ち、本願の請求項１記載の考案では、剛板とゴム部材の積層物である試験片をその両端部で設置する一対の支持板、左右側板、そして上板を組合わせた立体構造体であり、前記上板には一方のチャック部である板状のつかみ面を突設し、前記一対の支持板にはレール上を摺動するボールスライドを設置し、前記支持板の間から抜き出した試験片を他方のチャック部にした剥離試験保持具にある。
【考案の効果】
【０００７】
本考案の剥離試験保持具では、試験片が単なる積層物であってその両端部を一対の支持板に設置するもので、試験片の構造が簡単で、また試験片を容易に設置することができる。そして、板状のつかみ面と支持部の間から抜き出した試験片を、それぞれのチャックに挟持して引張ることにより、試験片を引張力と直角方向へスライド移動させることができ、引張力の方向を適切に垂直方向に維持できるために、常時正確な剥離力を測定することができる。
【課題を解決するための手段】
【０００８】
図１は本考案に係る剥離試験保持具の斜視図であり、図２は図１の断面図である。本考案の剥離試験保持具１は、試験片１０をその両端部で設置する一対の相対向した支持板２，２’、左右側板３，３’、そして上板４を組合わせた立体構造体である。そして、前記上板４には一方のチャック部の挟持部である板状のつかみ面５を突設し、前記一対の支持板２，２’上にはレール６，６’が固着されて平行に配置され、そしてその上を摺動するボールスライド７，７’が設置されている。
【０００９】
試験片１０はその両端部をボールスライド７上に設置されてスライド可能な状態になっている。
【００１０】
板状のつかみ面５は一方のチャックに挟持され、また前記支持板２，２’の間から抜き出した試験片１０は他方のチャックに挟持され、両チャック間の間隔が大きくなるように引張ると、試験片１０は引張力を常時垂直方向に維持するように引張力と直角方向へスライド移動し、これによって正確に９０度剥離力を測定することができる。
【００１１】
上記試験片１０としては、合成樹脂、鉄等の金属板からなる剛板１１と塗膜、シートとのゴム部材１２の積層物であり、ゴム部材１２は剛板１１の両端部を除いた領域、即ち支持板２，２’に当接する領域を除いた箇所に積層されている。この試験片１０は上記剥離試験保持具１に使用する場合に効果がある。
【図面の簡単な説明】
【００１２】
【図１】本考案に係る剥離試験保持具の斜視図である。
【図２】図１の断面図である。
【符号の説明】
【００１３】
１        剥離試験保持具
２，２’  支持板
３，３’  側板
４        上板
５        つかみ面
６，６’  レール
７，７’  ボールスライド
１０        試験片
１１        剛板
１２      ゴム部材
【図１】
0003127168.tif 000003
【図２】
0003127168.tif 000004
(57)【要約】【課題】収納時には杖となる吹矢ケースを提供する。【解決手段】矢筒２を収容した際に上端を折り返し得るよう矢筒２の長さより長く形成し、上端に挿入口３を有する袋状本体４と、前記挿入口３に設けた革紐４と、筒穴６ａを有する上端を開口し底部６ｂを有するゴム製の筒状石突き６とからなり、前記石突き６の筒穴７に袋状本体下端４ａを挿入して接着し、袋状本体下端４ａに収納穴７を形成してなり、その挿入口３から吹矢の矢筒２を挿入し、矢筒２下端を収納穴７に嵌合固定し、上部を折り返して矢筒とともに革紐４で巻いて縛ることによって杖となすことを特徴とする。特に高齢者にとって、高齢者施設などに通う際、前記杖の状態にして用いることができ、吹き矢の矢筒としての持ち運びの不便さを解消できる。【選択図】図２
0003127162.tif 000002
【実用新案登録請求の範囲】
【請求項１】
矢筒を収容した際に上端を折り返し得るよう矢筒の長さより長く形成し、上端に挿入口を有する袋状本体と、前記挿入口近傍の袋状本体に設けた縛り部材と、筒穴を有する上端を開口し底部を有する滑り止め用の筒状石突きとからなり、前記石突きの筒穴に前記袋状本体下端を挿入して固着し、袋状本体下端に収納穴を形成してなる吹矢ケースであって、その挿入口から吹矢の矢筒を挿入し、矢筒下端を収納穴に挿入可能に嵌合固定し、袋状本体上部を折り返して矢筒上部とともに縛り部で巻いて縛ることによって杖となし得ることを特徴とする吹矢ケース。
【考案の詳細な説明】
【技術分野】
【０００１】
本考案は、吹矢の矢筒の太さ及び長さを利用して収納時には杖となし得る吹矢ケースに関するものである。
【背景技術】
【０００２】
近年、吹矢は、的を射て遊ぶ男女共通の娯楽、あるいは集中力強化やストレス解消にも役立つ呼吸法を取り入れたスポーツとして、高齢者施設や各種クラブで静かなブームとなっているが、矢筒は、１０００〜１２００ｍｍの長さをもつため、特に高齢者にとっては持ち運びが不便であるという不都合があった。この不都合を解消するために、矢筒を２〜３分割し、使用のときにジョイントするもの（特許文献１及び特許文献２参照）が提案されている。
【特許文献１】実用新案登録第３０５９６７５号公報
【特許文献２】特開２００２−３５７３９９号公報
【考案の開示】
【考案が解決しようとする課題】
【０００３】
上記ジョイント式のものは、構造が複雑となるために高価であるとともに、分割した矢筒をジョイントするので、ジョイント部分に段差が生じやすく、吹矢としての性能が低下するという問題があった。
【０００４】
本考案は、上記問題を解消することを課題とし、該課題を解決した吹矢ケースを提供することを目的とする。
【課題を解決するための手段】
【０００５】
前記目的を達成するために、請求項１に記載の吹矢ケースは、矢筒を収容した際に上端を折り返し得るよう矢筒の長さより長く形成し、上端に挿入口を有する袋状本体と、前記挿入口近傍の袋状本体に設けた縛り部材と、筒穴を有する上端を開口し底部を有する滑り止め用の筒状石突きとからなり、前記石突きの筒穴に前記袋状本体下端を挿入して固着し、袋状本体下端に収納穴を形成してなる吹矢ケースであって、その挿入口から吹矢の矢筒を挿入し、矢筒下端を収納穴に挿入可能に嵌合固定し、上部を折り返して矢筒上部とともに縛り部で巻いて縛ることによって杖となし得るものである。
【考案の効果】
【０００６】
以上のように構成した本考案は、一本のパイプ材で形成された矢筒を挿入口に挿入し、その下端を吹矢ケース下端に設けられた収納穴に嵌入固定し、上端を折り返して矢筒とともに縛り部材で巻いて縛れば、杖となすことができるので、特に高齢者にとって、高齢者施設などに通う際、前記杖の状態にして用いることができ、吹き矢の矢筒としての持ち運びの不便さを解消できるうえ、高価なジョイント式に比べて安価でかつ吹矢としての性能が高い一本式の矢筒を利用することができるという効果を奏する。
【考案を実施するための最良の形態】
【０００７】
次に、本考案の好適な実施形態を添付図面の図１及び図２に基づいて詳細に説明する。ここにおいて、図１は杖となした状態の正面図、図２は同じく拡大縦断正面図である。
【０００８】
図１及び図２に示すように、吹矢ケース１は、吹矢の矢筒２を収容した際に上端を折り返し得るよう前記矢筒２の長さより長く形成し、その上端に挿入口３を有する布製袋状本体４と、前記挿入口３に設けた縛り部材たる革紐５と、筒穴６ａを有する上端を開口し底部６ｂを有する滑り止め用のゴム製の筒状石突き６とからなり、前記石突き６の筒穴６ａに前記袋状本体下端４ａを挿入し、その内面と袋状本体下端４ａの外面を接着して袋状本体下端４ａに収納穴７を形成してなる。
【０００９】
図２に示すように、前記収納穴７の径の大きさと深さは、矢筒下端を嵌合固定し、杖として取り扱う際には抜けず、所定以上の力で引くと抜き得るように設定されている。
【００１０】
図２に示すように、矢筒２は公知のもので、長さ１２００ｍｍ、外径１５ｍｍの一本のアルミ製パイプ材で形成され、吹き口に着脱可能にマウスピース８を嵌合し、その表面には、図示しないが漆調の塗装が施してある。
【００１１】
以上のように構成した吹矢ケース１は、図２に示すように、袋状本体４上端の挿入口３から矢筒２を挿入し、矢筒２下端を袋状本体４下端の収納穴７に押し込みながら嵌合し、袋状本体４の上部を折り返して、矢筒２とともに革紐５を巻き付け縛って留めて杖となす。このような杖となした状態は、矢筒２下端が袋状本体下端４ａの収納穴７に、杖として取り扱う際には抜けないように矢筒２と吹矢ケース１が密接した嵌合状態であるうえ、袋状本体４の上部を折り返して矢筒２とともに縛ってあるので、杖として使用することが可能である。
【００１２】
なお、本考案は、上記実施形態になんら限定されるものではなく、例えば、袋状本体４は布製ではなく、シート材で構成してもよいほか、縛り部材は、革紐４ではなく、テープに代えてもよい。また、筒状石突き６は、滑り止め作用があればゴム製ではなく、樹脂製等であってもよい。
【図面の簡単な説明】
【００１３】
【図１】杖となした状態の正面図。
【図２】同じく拡大縦断正面図。
【符号の説明】
【００１４】
１    吹矢ケース
２    矢筒
３    挿入口
４    袋状本体
４ａ    袋状本体下端
５    革紐
６    筒状石突き
６ａ    筒穴
６ｂ    底部
７    収納穴
８    マウスピース
【図１】
0003127162.tif 000003
【図２】
0003127162.tif 000004